(57)【特許請求の範囲】
【請求項１】
昇降可能なスプレッダ本体と、スプレッダ本体に旋動可能に設けられてコンテナの掛止穴に挿入されて掛止されるツイストロックと、スプレッダ本体に設けられてコンテナの掛止穴付近に積もった雪を除去し得る積雪除去装置とを具備し、積雪除去装置は、積雪を除去し得る回転ブラシと、回転ブラシを回転させる回転駆動手段と、回転ブラシをツイストロックの下方に位置する除去位置からツイストロックと掛止穴との掛合に支障がない回避位置まで移動させる移動手段とを備えている事を特徴とするコンテナスプレッダ。
【請求項２】
回転ブラシは、水平軸廻りに回転可能に設けられて居り、回転駆動手段は、回転駆動機とこれの回転を回転ブラシに伝動する伝動機構とを備えて居り、移動手段は、先端に回転ブラシと回転駆動手段が設けられて垂下状態から起立状態まで俯仰可能なアームと、アームを俯仰させる俯仰駆動機とを備えている請求項１に記載のコンテナスプレッダ。
【発明の詳細な説明】
【技術分野】
【０００１】
本発明は、例えばコンテナキャリアやコンテナ吊り上げ機械等の港湾荷役機械に適用されてコンテナを吊り上げる際に用いられるコンテナスプレッダの改良に関する。
【背景技術】
【０００２】
従来、この種のコンテナスプレッダとしては、例えば特許文献１〜５に記載されたものが知られている。
当該コンテナスプレッダは、基本的には、昇降可能なスプレッダ本体と、スプレッダ本体に旋動可能に設けられてコンテナの掛止穴に挿入されて掛止されるツイストロックとから構成されて居り、この他に、スプレッダ本体がコンテナに着床した事を検出する着床検出器と、ツイストロックを所定角度だけ旋動させてロック位置になった事を検出するロック検出器と、ツイストロックを所定角度だけ旋動させてアンロック位置になった事を検出するアンロック検出器等を備えている。
【０００３】
【特許文献１】特許第３２６５７７１号公報
【特許文献２】特許第２６４０４２７号公報
【特許文献３】特開平８−３１０７９６号公報
【特許文献４】特開２００１−２４０３９７号公報
【特許文献５】特許第３４２７０５２号公報
【発明の開示】
【発明が解決しようとする課題】
【０００４】
ところで、冬季降雪地域のコンテナヤードに於ては、蔵置されているコンテナやトレーラのシャーシに積載されているコンテナの上にも積雪される。
この様なコンテナにスプレッダを着床する際には、コンテナとスプレッダとの間に雪が挟まってスプレッダのツイストロックがコンテナの掛止穴（コーナキャスト）に入らない事があり、そのままスプレッダの着床を認識してツイストロックが動作する事があった。この場合、スプレッダに依りコンテナが三点吊り等の状態で吊上げられるので、コンテナがスプレッダから脱落して事故を招く惧れがあった。
この為、現状では、作業員がコンテナの上に登って雪かきを行なったり、スプレッダをコンテナに強引に着床させて雪を払い落としたりしていた。
ところが、前者の場合は、作業員がコンテナから落下する危険性があると共に、後者の場合は、スプレッダやコンテナが損傷する惧れがあった。
要するに、従来に於ては、コンテナ上の積雪により、コンテナがスプレッダから脱落したり、作業員がコンテナから落下したり、スプレッダやコンテナが損傷する惧れがあって危険であり、安全且つ確実にコンテナを吊上げる事ができなかった。
【０００５】
本発明は、叙上の問題点に鑑み、これを解消する為に創案されたもので、その課題とする処は、コンテナ上に積雪しても、安全且つ確実にコンテナを吊上げる事ができる様にしたコンテナスプレッダを提供するにある。
【課題を解決するための手段】
【０００６】
本発明のコンテナスプレッダは、基本的には、昇降可能なスプレッダ本体と、スプレッダ本体に旋動可能に設けられてコンテナの掛止穴に挿入されて掛止されるツイストロックと、スプレッダ本体に設けられてコンテナの掛止穴付近に積もった雪を除去し得る積雪除去装置とを具備している事に特徴が存する。
【０００７】
スプレッダ本体が下降されてコンテナに近接されると、積雪除去装置が作動されてこれに依りコンテナの掛止穴付近に積もった雪が掃き飛ばされて除去される。
積雪が除去されると、スプレッダ本体がコンテナ上に着床されてツイストロックがコンテナの掛止穴に挿入されると共に、所定角度だけ旋動されてロック位置にされ、スプレッダ本体がコンテナに装着される。
スプレッダ本体がコンテナに装着されると、スプレッダ本体が上昇されてコンテナが吊上げられる。
スプレッダ本体がコンテナに着床する前に、積雪除去装置に依りコンテナの掛止穴付近に積もった雪を除去する様にしたので、スプレッダ本体とコンテナとの間に雪が挟まる事がなく、スプレッダ本体がコンテナに確実に着床されると共に、ツイストロックがコンテナの掛止穴に挿入されて掛合される。
この為、コンテナが三点吊り等の状態で吊上げられたり、作業員がコンテナ上に登って雪かきを行ったり、スプレッダをコンテナに強引に着床させて雪を払い落としたりする必要がなくなり、スブレッタからコンテナが脱落したり、作業員がコンテナから落下したり、スプレッダやコンテナが損傷する事がなくなる。
【０００８】
積雪除去装置は、積雪を除去し得る回転ブラシと、回転ブラシを回転させる回転駆動手段と、回転ブラシをツイストロックの下方に位置する除去位置からツイストロックと掛止穴との掛合に支障がない回避位置まで移動させる移動手段とを備えているのが好ましい。この様にすれば、スプレッダをコンテナに着床させる前に確実に積雪を除去できると共に、ツイストロックと掛止穴との掛合に邪魔になる事がない。
【０００９】
回転ブラシは、水平軸廻りに回転可能に設けられて居り、回転駆動手段は、回転駆動機とこれの回転を回転ブラシに伝動する伝動機構とを備えて居り、移動手段は、先端に回転ブラシと回転駆動手段が設けられて垂下状態から起立状態まで俯仰可能なアームと、アームを俯仰させる俯仰駆動機とを備えているのが好ましい。この様にすれば、積雪を飛散させて除去できると共に、移動手段の構造を簡単化できる。
【発明の効果】
【００１０】
本発明に依れば、次の様な優れた効果を奏する事ができる。
（１）  スプレッダ本体、ツイストロック、積雪除去装置とで構成し、とりわけ、スプレッダ本体にコンテナの掛止穴付近に積もった雪を除去し得る積雪除去装置を設けたので、コンテナ上に積雪しても安全且つ確実にコンテナを吊上げる事ができる。つまり、スプレッダからコンテナが脱落したり、作業員がコンテナから落下したり、スプレッダやコンテナが損傷する事がなくなり、危険な作業を回避して作業効率を高める事ができる。
（２）  スプレッダ本体に積雪除去装置を設けるだけなので、構造が比較的簡単でコストが余り掛からず、直ちに実施する事ができると共に、既存のものへも容易に適用できる。
【発明を実施するための最良の形態】
【００１１】
以下、本発明の実施の形態を、図面に基づいて説明する。
図１は、本発明のコンテナスプレッダを示し、積雪除去装置を除去状態にした場合の側面図。図２は、積雪除去装置を回避状態にした場合の図１と同様図である。
【００１２】
コンテナスプレッダ１は、スプレッダ本体２、ツイストロック３、積雪除去装置４とからその主要部が構成されて居り、コンテナキャリアやコンテナ吊り上げ機械等の港湾荷役機械に適用される。
【００１３】
スプレッダ本体２は、昇降可能なもので、この例では、コンテナＡの大きさに呼応した四枠状を呈し、四隅には下方に突出してコンテナＡの上面に当合して着床し得る着床部５を備えて居り、図略しているが、コンテナスキャリアやコンテナ吊り上げ機械等の車体に設けられたリフトシリンダやウインチに依りチェーンやワイヤを介して昇降される様になっている。
【００１４】
コンテナＡは、直方体状を呈し、上側の四隅には、ツイストロック３が挿入されて掛止される掛止穴Ｂを備えている。
【００１５】
ツイストロック３は、スプレッダ本体２に設けられてコンテナＡの掛止穴Ｂに挿入されて掛止されるもので、この例では、茸状を呈し、スプレッダ本体２の着床部５から下方へ突出すべくこれに縦軸廻りに旋動可能に設けられて居り、図略しているが、ツイストロックシリンダに依りアンロック位置からロック位置まで略９０度だけ旋動される様になっている。
【００１６】
而して、スプレッダ本体２には、図略しているが、スプレッダ本体２がコンテナＡに当合して着床した事を検出する着床検出器と、ツイストロック３がロック位置になった事を検出するロック検出器と、ツイストロック３がアンロック位置になった事を検出するアンロック検出器とが設けられている。
【００１７】
積雪除去装置４は、スプレッダ本体２に設けられてコンテナＡの掛止穴Ｂ付近に積もった雪を除去し得るもので、この例では、積雪を除去し得る回転ブラシ６と、これを回転させる回転駆動手段７と、回転ブラシ６をツイストロック３の下方に位置する除去位置からツイストロック３と掛止穴Ｂとの掛合に支障がない回避位置まで移動させる移動手段８とを備えている。
【００１８】
回転ブラシ６は、二股状を呈するブラシホルダ９と、これに水平軸廻りに回転可能に設けられた回転軸１０と、これに交換可能に設けられて合成樹脂製等の毛が放射状に植設されて円柱状を呈するブラシロール１１とを備えている。ブラシロール１１は、中央の長尺なものと左右の短尺なものに三分割されている。
回転駆動手段７は、油圧モータ等の回転駆動機１２と、これの回転を回転ブラシ６の回転軸９に伝達するチェーン・スプロケット等の伝動機構１３とを備えている。
移動手段８は、先端にブラシホルダ９を介して回転ブラシ６と回転駆動手段７が設けられて垂下状態から起立状態まで俯仰可能なアーム１４と、スプレッダ本体２の着床部５の上部に設けられてアーム１４を俯仰回動させる搖動油圧モータ（トリコロール式油圧モータ）等の俯仰駆動機１５とを備えている。
【００１９】
前記回転駆動手段７の回転駆動機１２と移動手段８の俯仰駆動機１５とは、コンテナキャリア等の港湾荷役機械の運転室から制御できる様に構成されている。
【００２０】
次に、この様な構成に基づいてその作用を述解する。
図１は、スプレッダ本体２がコンテナＡの上方に所定距離だけ離間して位置された着床前の状態を示している。この時、積雪除去装置４は、除去状態にされる。つまり、移動手段８の俯仰駆動機１５が作動されてアーム１４が垂下状態に俯伏されると共に、回転ブラシ６がツイストロック３の下方で且つ掛止穴Ｂの上方に位置される。
この様な状態で回転駆動手段７の回転駆動機１２が作動されてその回転が伝動機構１３を介して回転ブラシ６に伝達されてこれが回転される。そして、回転ブラシ６が回転されたままスブレッタ本体２が微低速で降下され、コンテナＡ上面の掛止穴付Ｂ近に積もった雪が掃き飛ばされながら除去される。この時、回転ブラシ６の毛先に依り掛止穴Ｂの内部の雪もある程度除去される。
【００２１】
積雪の除去が終了すると、回転ブラシ６が停止されると共に、スプレッダ本体２が若干上昇されて移動手段８のアーム１４が起立状態に仰起され、積雪除去装置４が回避状態にされる。その後、通常通り、スプレッダ本体２が下降されてツイストロック３がコンテナＡの掛止穴Ｂに挿入されると共に、着床部５が掛止穴Ｂ付近に着床される。この時、ツイストロック３の下方には、回転ブラシ６や回転駆動手段７が位置されていないので、ツイストロック３と掛止穴Ｂの掛合に支障を与える事がない。
スプレッダ本体２がコンテナＡに着床されると、ツイストロック３がロック位置に旋動されて掛止穴Ｂに掛合され、スプレッダ本体２がコンテナＡに装着される。
スプレッダ本体２がコンテナＡに装着されると、スプレッダ本体２が上昇されてコンテナＡが吊上げられる。
【００２２】
尚、回転ブラシ６は、先の例では、水平軸廻りに回転するものであったが、これに限らず、例えば垂直軸廻りや斜軸廻りに回転するものでも良い。
回転駆動手段７の回転駆動機１２は、先の例では、油圧モータであったが、これに限らず、例えば電動モータ等でも良い。
回転駆動手段７の伝動機構１３は、先の例では、チェーン・スプロケットであったが、これに限らず、例えば歯車機構等でも良い。
移動手段８は、先の例では、アーム１４を用いて俯仰回動するものであったが、これに限らず、例えば直線運動するものでも良い。
移動手段８の俯仰駆動機１５は、先の例では、搖動油圧モータであったが、これに限らず、例えば油圧シリンダ等でも良い。
【図面の簡単な説明】
【００２３】
【図１】本発明のコンテナスプレッダを示し、積雪除去装置を除去状態にした場合の側面図。
【図２】積雪除去装置を回避状態にした場合の図１と同様図。
【符号の説明】
【００２４】
１…コンテナスプレッダ、２…スプレッダ本体、３…ツイストロック、４…積雪除去装置、５…着床部、６…回転ブラシ、７…回転駆動手段、８…移動手段、９…ブラシホルダ、１０…回転軸、１１…ブラシロール、１２…回転駆動機、１３…伝動機構、、１４…アーム、１５…俯仰駆動機、Ａ…コンテナ、Ｂ…掛止穴。
【図１】
0004837340.tif 000002
【図２】
0004837340.tif 000003